(57)【特許請求の範囲】
【請求項１】
トレッドと、台タイヤとを備え、
前記トレッドが、タイヤ周方向に延在する少なくとも３本の周方向主溝と、前記周方向主溝に区画されて成る複数の陸部とをトレッド面に備え、且つ、
前記台タイヤが、カーカス層と、前記カーカス層のタイヤ径方向外側に配置されるベルト層とを備えると共に、前記ベルト層が、一対の交差ベルトと、前記一対の交差ベルトのタイヤ径方向外側に配置されるベルトカバーとを有する小型トラック用の更生タイヤであって、
タイヤ幅方向の最も外側にある前記周方向主溝を最外周方向主溝と呼ぶときに、
トレッド幅ＴＷと、タイヤ総幅ＳＷとが、０．６５≦ＴＷ／ＳＷ≦０．８５の関係を有し、
リム径の測定点からタイヤ最大幅位置までのタイヤ径方向の距離ＳＤＨと、タイヤ断面高さＳＨとが、０．４５≦ＳＤＨ／ＳＨ≦０．６５の関係を有し、
前記最外周方向主溝に隣接するタイヤ幅方向内側の前記陸部が、タイヤ全周に渡って連続的に延在する１本の周方向細溝と、タイヤ幅方向に延在して前記最外周方向主溝に連通すると共に前記周方向細溝に連通する複数のラグ溝と、前記周方向細溝のタイヤ幅方向内側の領域にてタイヤ周方向に連続するリブとを備え、
前記ベルトカバーが、有機繊維材から成ると共にタイヤ周方向に対して±５［deg］以下の角度で配列された複数のコードから構成されると共に、タイヤ幅方向に連続的に延在して前記ベルト層の全域を覆うフルカバー構造を有し、
７０［％］以下の偏平率を有し、
タイヤ赤道面におけるトレッドゲージＤｃｃと、幅狭な前記交差ベルトのタイヤ幅方向外側の端部におけるトレッドゲージＤｅとが、１．０３≦Ｄｃｃ／Ｄｅ≦１．２０の関係を有し、且つ、
タイヤ赤道面におけるトレッドゲージＤｃｃと、前記ベルトカバーのタイヤ幅方向外側の端部からトレッド端までのトレッドゲージＤｓｈとが、１．２０≦Ｄｓｈ／Ｄｃｃ≦１．４０の関係を有することを特徴とする更生タイヤ。
【請求項２】
前記周方向細溝の溝深さＤ３と、前記最外周方向主溝の溝深さＤ２とが、０．１０≦Ｄ３／Ｄ２≦０．４０の関係を有する請求項１に記載の更生タイヤ。
【請求項３】
前記ラグ溝の溝深さＤ４と、前記最外周方向主溝の溝深さＤ２とが、０．１０≦Ｄ４／Ｄ２≦０．４０の関係を有する請求項１または２に記載の更生タイヤ。
【請求項４】
タイヤ赤道面に最も近い前記周方向主溝の溝幅Ｗ１と、トレッド幅ＴＷとが、０．０５≦Ｗ１／ＴＷ≦０．０９の関係を有する請求項１〜３のいずれか一つに記載の更生タイヤ。
【請求項５】
前記最外周方向主溝の溝幅Ｗ２と、トレッド幅ＴＷとが、０．０６≦Ｗ２／ＴＷ≦０．１０の関係を有する請求項１〜４のいずれか一つに記載の更生タイヤ。
【請求項６】
前記周方向細溝が、タイヤ周方向にジグザグ状あるいは波状に延在する請求項１〜５のいずれか一つに記載の更生タイヤ。
【請求項７】
タイヤ赤道面に最も近い前記周方向主溝が、前記周方向細溝に対して略平行なジグザグ状あるいは波状を有してタイヤ周方向に延在する請求項６に記載の更生タイヤ。
【請求項８】
タイヤ幅方向の最も外側にある前記陸部が、前記最外周方向主溝側のエッジ部に複数の切欠部を有する請求項１〜７のいずれか一つに記載の更生タイヤ。
【請求項９】
前記切欠部のタイヤ周方向の長さＬ２と、前記ラグ溝のタイヤ周方向の配置間隔Ｌ１とが、０．２≦Ｌ２／Ｌ１≦０．６の関係を有する請求項８に記載の更生タイヤ。
【請求項１０】
前記切欠部の幅Ｗ５と、前記最外周方向主溝の溝幅Ｗ２とが、０．２≦Ｗ５／Ｗ２≦０．４の関係を有する請求項８または９に記載の更生タイヤ。
【請求項１１】
前記切欠部の深さＤ５と、前記最外周方向主溝の溝深さＤ２とが、０．６０≦Ｄ５／Ｄ２≦１．００の関係を有する請求項８〜１０のいずれか一つに記載の更生タイヤ。
【請求項１２】
トレッドパターン全体の溝面積比Ａが、０．２０≦Ａ≦０．３５の範囲にある請求項１〜１１のいずれか一つに記載の更生タイヤ。
【請求項１３】
前記最外周方向主溝に隣接するタイヤ幅方向内側の前記陸部の溝面積比Ａｃおよびタイヤ幅方向外側の前記陸部の溝面積比Ａｓが、１．５≦Ａｃ／Ａｓの範囲にある請求項１〜１２のいずれか一つに記載の更生タイヤ。
【発明の詳細な説明】
【技術分野】
【０００１】
この発明は、更生タイヤに関し、さらに詳しくは、ウェット性能を向上できる更生タイヤに関する。
【背景技術】
【０００２】
従来は、トラック・バスなどに装着される重荷重用タイヤについて、更生が行われていたが、近年では、小型トラック用タイヤについても、更生が行われつつある。かかる小型トラック用の更生タイヤとして、特許文献１に記載される技術が知られている。
【先行技術文献】
【特許文献】
【０００３】
【特許文献１】特開２００９−０４０１７９号公報
【発明の概要】
【発明が解決しようとする課題】
【０００４】
一方で、更生タイヤにおいても、タイヤのウェット性能を向上させるべき課題がある。
【０００５】
そこで、この発明は、上記に鑑みてなされたものであって、ウェット性能を向上できる更生タイヤを提供することを目的とする。
【課題を解決するための手段】
【０００６】
上記目的を達成するため、この発明にかかる更生タイヤは、トレッドと、台タイヤとを備え、前記トレッドが、タイヤ周方向に延在する少なくとも３本の周方向主溝と、前記周方向主溝に区画されて成る複数の陸部とをトレッド面に備え、且つ、前記台タイヤが、カーカス層と、前記カーカス層のタイヤ径方向外側に配置されるベルト層とを備えると共に、前記ベルト層が、一対の交差ベルトと、前記一対の交差ベルトのタイヤ径方向外側に配置されるベルトカバーとを有する小型トラック用の更生タイヤであって、タイヤ幅方向の最も外側にある前記周方向主溝を最外周方向主溝と呼ぶときに、トレッド幅ＴＷと、タイヤ総幅ＳＷとが、０．６５≦ＴＷ／ＳＷ≦０．８５の関係を有し、リム径の測定点からタイヤ最大幅位置までのタイヤ径方向の距離ＳＤＨと、タイヤ断面高さＳＨとが、０．４５≦ＳＤＨ／ＳＨ≦０．６５の関係を有し、前記最外周方向主溝に隣接するタイヤ幅方向内側の前記陸部が、タイヤ全周に渡って連続的に延在する１本の周方向細溝と、タイヤ幅方向に延在して前記最外周方向主溝に連通すると共に前記周方向細溝に連通する複数のラグ溝と、前記周方向細溝のタイヤ幅方向内側の領域にてタイヤ周方向に連続するリブとを備え、前記ベルトカバーが、有機繊維材から成ると共にタイヤ周方向に対して±５［deg］以下の角度で配列された複数のコードから構成されると共に、タイヤ幅方向に連続的に延在して前記ベルト層の全域を覆うフルカバー構造を有し、７０［％］以下の偏平率を有し、タイヤ赤道面におけるトレッドゲージＤｃｃと、幅狭な前記交差ベルトのタイヤ幅方向外側の端部におけるトレッドゲージＤｅとが、１．０３≦Ｄｃｃ／Ｄｅ≦１．２０の関係を有し、且つ、タイヤ赤道面におけるトレッドゲージＤｃｃと、前記ベルトカバーのタイヤ幅方向外側の端部からトレッド端までのトレッドゲージＤｓｈとが、１．２０≦Ｄｓｈ／Ｄｃｃ≦１．４０の関係を有することを特徴とする。
【発明の効果】
【０００７】
この発明にかかる更生タイヤでは、プロファイルを規定する比ＴＷ／ＳＷおよび比ＳＤＨ／ＳＨが適正化されるので、タイヤの接地形状が適正化されて、タイヤのウェット性能が向上する利点がある。また、最外周方向主溝に隣接するタイヤ幅方向内側の陸部が、１本の周方向細溝と複数のラグ溝とを備えることにより、陸部の溝面積が確保されて、陸部の排水性が向上する。これにより、タイヤのウェット性能がさらに向上する利点がある。
【図面の簡単な説明】
【０００８】
【図１】図１は、この発明の実施の形態にかかる更生タイヤを示すタイヤ子午線方向の断面図である。
【図２】図２は、図１に記載した更生タイヤの作用を示す説明図である。
【図３】図３は、図１に記載した更生タイヤのトレッド面を示す平面図である。
【図４】図４は、図１に記載した更生タイヤの要部を示す拡大図である。
【図５】図５は、図１に記載した更生タイヤの要部を示す拡大図である。
【図６】図６は、図１に記載した更生タイヤの要部を示す拡大図である。
【図７】図７は、図１に記載した更生タイヤの変形例を示す説明図である。
【図８】図８は、この発明の実施の形態にかかる更生タイヤの性能試験の結果を示す図表である。
【図９】図９は、この発明の実施の形態にかかる更生タイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［更生タイヤ］
図１は、この発明の実施の形態にかかる更生タイヤを示すタイヤ子午線方向の断面図である。同図は、タイヤ径方向の片側領域の断面図を示している。また、同図は、一例として、小型トラック用の更生タイヤを示している。
【００１１】
同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、符号Ｔは、トレッド端である。また、タイヤ幅方向とは、タイヤ回転軸に平行な方向をいい、タイヤ径方向とは、タイヤ回転軸に垂直な方向をいう。
【００１２】
更生タイヤ１０は、残溝が寿命に達したタイヤのトレッドゴムを貼り替えて再利用されるタイヤであり、例えば、重荷重用タイヤ、小型トラック用タイヤなどに用いられる。
【００１３】
図１に示すように、更生タイヤ１０は、トレッド２０と、台タイヤ３０とを備える。トレッド２０は、トレッド部を構成するゴム部材であり、更生タイヤ１０の製造時に新たに追加される。台タイヤ３０は、残溝が寿命に達したタイヤのトレッドゴムの一部およびサイドウォールゴムの一部を切除し、その外周面をバフ処理して成形される。かかる更生タイヤ１０は、後述するように、リモールド方式あるいはプレキュア方式により製造される。
【００１４】
また、更生タイヤ１０は、一般的な構成要素として、一対のビードコア１１、１１と、一対のビードフィラー１２、１２と、カーカス層１３と、複数のベルトプライ１４１〜１４３（図１では、一対の交差ベルト１４１、１４２およびベルトカバー１４３）を積層して成るベルト層１４と、トレッド部を構成するトレッドゴム１５と、左右のサイドウォール部を構成するサイドウォールゴム１６、１６と、左右のビード部を構成するリムクッションゴム１７、１７とを備える。これらの構成要素のうち、トレッドゴム１５は、新たに追加されたトレッド２０と、台タイヤ３０の残留トレッド３０１とから成る。また、サイドウォールゴム１６およびリムクッションゴム１７は、台タイヤ３０に含まれる。
【００１５】
なお、この実施の形態では、タイヤ幅方向の最も外側にある周方向主溝２２を最外周方向主溝と呼ぶ。また、この最外周方向主溝に隣接するタイヤ幅方向外側の陸部３２をショルダー陸部と呼ぶ。
【００１６】
［リモールド方式による更生タイヤ］
リモールド方式により製造される更生タイヤ１０では、トレッド２０が、材料段階にて未加硫のゴムであり、製品段階にて更生タイヤ１０のトレッド部を構成する。また、トレッド２０が、例えば、ストリップ状の未加硫ゴム、板状の未加硫ゴムなどから構成され得る。
【００１７】
かかるリモールド方式による更生タイヤ１０は、以下の工程により製造される（図示省略）。
【００１８】
まず、残溝が寿命に達したタイヤのトレッドゴムが切除され、その外周面にバフ処理が施されて、台タイヤ３０が取得される。このバフ処理は、タイヤに内圧を付与した状態で行われる。
【００１９】
次に、トレッド２０が、台タイヤ３０の外周面に配置される。このとき、（ａ）ストリップ状の未加硫ゴムが台タイヤ３０の外周面に螺旋状に巻き付けられて、トレッド２０が形成されても良いし、（ｂ）基礎となる板状のゴム部材が台タイヤ３０の外周面に巻き付けられ、その外周にストリップ状の未加硫ゴムが螺旋状に巻き付けられて、トレッド２０が形成されても良い。後者（ｂ）の場合には、前者（ａ）の場合と比較して、トレッド２０の設置工程に要する時間を短縮できる。
【００２０】
次に、加硫工程が行われる。この加硫工程では、トレッド２０および台タイヤ３０の組立体が、タイヤ成形金型を有するタイヤ加硫モールド（図示省略）に充填される。次に、トレッド２０および台タイヤ３０の組立体が加圧装置により径方向外方に拡張されて、トレッド２０がタイヤ成形金型に押圧される。また、トレッド２０および台タイヤ３０の組立体が加熱されることにより、トレッド２０が加硫されて、タイヤ成形金型の形状がトレッド２０に転写される。その後に、加硫後のタイヤがタイヤ加硫モールドから取り出される。 
【００２１】
［プレキュア方式による更生タイヤ］
一方、プレキュア方式により製造される更生タイヤ１０では、トレッド２０が、材料段階にて加硫済みのトレッドゴム（プレキュアトレッド）であり、更生タイヤ１０のトレッド部を構成する。また、トレッド２０が、板状構造あるいは環状構造を有し、その外周面に更生タイヤ１０の新品時のトレッドパターンを予め有する。
【００２２】
かかるプレキュア方式による更生タイヤ１０は、以下の工程により製造される（図示省略）。
【００２３】
まず、残溝が寿命に達したタイヤのトレッドゴムが切除され、その外周面にバフ処理が施されて、台タイヤ３０が取得される。このバフ処理は、タイヤに内圧を付与した状態で行われる。 
【００２４】
次に、クッションゴム（図示省略）が、台タイヤ３０の外周面の全周に渡って貼り付けられる。クッションゴムは、材料段階にてシート状の未加硫ゴムである。その後に、トレッド２０が、台タイヤ３０の外周面に配置されてクッションゴムを介して台タイヤ３０に接着される。
【００２５】
このとき、トレッド２０が板状構造を有する場合には、トレッド２０が台タイヤ３０を一周して巻き付けられて、固定部材（図示省略）により両端部を仮止めして固定される。一方、トレッド２０が環状構造を有する構成では、トレッド２０が専用の拡縮径装置（図示省略）により拡径および縮径されて台タイヤ３０の外周に嵌め合わされて配置される。
【００２６】
次に、加硫工程が行われる。この加硫工程では、トレッド２０および台タイヤ３０の組立体が加硫缶（図示省略）に収容されて、加硫缶内の空気が真空吸引され、その後に、加熱および加圧が行われて、クッションゴムが加硫される。その後に、加硫後のタイヤが加硫缶から取り出される。
【００２７】
［タイヤプロファイル］
従来は、トラック・バスなどに装着される重荷重用タイヤについて、更生が行われていたが、近年では、小型トラック用タイヤについても、更生が行われつつある。
【００２８】
また、更生タイヤは、残溝が寿命に達したタイヤを台タイヤとして使用するため、タイヤプロファイルが全体として丸くなり、トレッドラジアスが小さくなる傾向にある。このため、トレッド部ショルダー領域の接地面積が不足して、タイヤのウェット性能が低下するという課題がある。
【００２９】
そこで、この更生タイヤ１０は、特に、小型トラック用タイヤにおけるウェット性能を向上するために、以下の構成を採用している。
【００３０】
この更生タイヤ１０では、図１において、トレッド幅ＴＷと、タイヤ総幅ＳＷとが、０．６５≦ＴＷ／ＳＷ≦０．８５の関係を有する。また、比ＴＷ／ＳＷが、０．７０≦ＴＷ／ＳＷ≦０．８０の範囲にあることが好ましく、０．７３≦ＴＷ／ＳＷ≦０．７８の範囲にあることがより好ましい。
【００３１】
トレッド幅ＴＷは、タイヤを規定リムに装着して規定内圧を付与すると共に無負荷状態としたときのタイヤのトレッド模様部分の両端の直線距離として測定される。
【００３２】
タイヤ総幅ＳＷは、タイヤを規定リムに装着して規定内圧を付与すると共に無負荷状態としたときのサイドウォール間の（タイヤ側面の模様、文字などのすべての部分を含む）直線距離として測定される。
【００３３】
また、図１において、リム径の測定点Ｐからタイヤ最大幅位置Ｑまでのタイヤ径方向の距離ＳＤＨと、タイヤ断面高さＳＨとが、０．４５≦ＳＤＨ／ＳＨ≦０．６５の関係を有する。また、比ＳＤＨ／ＳＨが、０．５０≦ＳＤＨ／ＳＨ≦０．６０の範囲にあることが好ましく、０．５２≦ＳＤＨ／ＳＨ≦０．５８の範囲にあることがより好ましい。
【００３４】
タイヤ最大幅位置Ｑは、ＪＡＴＭＡ規定のタイヤ断面幅の最大幅位置をいう。なお、タイヤ断面幅は、タイヤを規定リムに装着して規定内圧を付与すると共に無負荷状態として測定される。
【００３５】
タイヤ断面高さＳＨは、タイヤ外径とリム径との差の１／２の距離であり、タイヤを規定リムに装着して規定内圧を付与すると共に無負荷状態として測定される。
【００３６】
図２は、図１に記載した更生タイヤの作用を示す説明図である。同図は、従来例および実施例Ａの試験タイヤの評価結果を示している。
【００３７】
図２の評価結果は、次のように取得された。まず、交差ベルト１４１、１４２の端部における周辺ゴムの最大主歪み［％］が、タイヤを規定リムに装着して規定内圧を付与すると共に無負荷状態として測定される。また、主歪みの変動幅が、タイヤを規定リムに装着して規定内圧および規定荷重を付与したときのタイヤ接地状態にて、交差ベルト１４１、１４２の端部における周辺ゴムの主歪み［％］をタイヤ周方向の各位置にて測定し、これらの測定値の最大値と最小値との差として算出される。そして、この算出結果に基づいて、従来例を基準（１００）とした指数評価が行われる。
【００３８】
この更生タイヤ１０では、比ＴＷ／ＳＷおよび比ＳＤＨ／ＳＨが適正化されることにより、タイヤ赤道面ＣＬからショルダー部に至るプロファイルがフラットとなり、タイヤの接地形状が矩形に近づく。すると、タイヤ接地時におけるトレッド部ショルダー領域の接地面積が確保されて、タイヤのウェット性能が向上する。
【００３９】
［トレッドパターン］
図３は、図１に記載した更生タイヤのトレッド面を示す平面図である。同図は、オールシーズン用タイヤのトレッドパターンを示している。同図において、タイヤ周方向とは、タイヤ回転軸周りの方向をいう。また、符号Ｔは、タイヤ接地端である。
【００４０】
この更生タイヤ１０は、タイヤ周方向に延在する複数の周方向主溝２１、２２と、これらの周方向主溝２１、２２に区画された複数の陸部３１、３２とをトレッド部に備える（図３参照）。
【００４１】
ここでは、タイヤ幅方向の最も外側にある左右の周方向主溝２２、２２を最外周方向主溝と呼ぶ。また、左右の最外周方向主溝２２、２２を境界として、トレッド部センター領域およびトレッド部ショルダー領域を定義する。
【００４２】
周方向主溝とは、摩耗末期を示すウェアインジケータを有する周方向溝であり、一般に、５．０［ｍｍ］以上の溝幅および７．５［ｍｍ］以上の溝深さを有する。
【００４３】
溝幅は、タイヤを規定リムに装着して規定内圧を充填した無負荷状態にて、溝開口部における左右の溝壁の距離の最大値として測定される。陸部が切欠部や面取部をエッジ部に有する構成では、溝長さ方向を法線方向とする断面視にて、トレッド踏面と溝壁の延長線との交点を基準として、溝幅が測定される。また、溝がタイヤ周方向にジグザグ状あるいは波状に延在する構成では、溝壁の振幅の中心線を基準として、溝幅が測定される。
【００４４】
溝深さは、タイヤを規定リムに装着して規定内圧を充填した無負荷状態にて、トレッド踏面から溝底までの距離の最大値として測定される。また、溝が部分的な凹凸部やサイプを溝底に有する構成では、これらを除外して溝深さが測定される。
【００４５】
ここで、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００４６】
周方向主溝２１、２２は、ストレート形状を有しても良いし、ジグザグ形状あるいは波状形状を有しても良い。例えば、図３の構成では、タイヤ赤道面ＣＬ上にある周方向主溝２１が、相互に異なる傾斜角をもつ長尺部と短尺部とをタイヤ周方向に交互に接続して成るジグザグ形状を有している。また、左右の最外周方向主溝２２、２２が、ストレート形状を有している。
【００４７】
また、タイヤ赤道面ＣＬに最も近い周方向主溝２１の溝幅Ｗ１と、トレッド幅ＴＷとが、０．０５≦Ｗ１／ＴＷ≦０．０９の関係を有することが好ましい。また、最外周方向主溝２２の溝幅Ｗ２と、トレッド幅ＴＷとが、０．０６≦Ｗ２／ＴＷ≦０．１０の関係を有することが好ましい。これらにより、周方向主溝２１、２２の溝幅Ｗ１、Ｗ２が適正化される。
【００４８】
タイヤ赤道面ＣＬに最も近い周方向主溝２１とは、タイヤ赤道面ＣＬ上に周方向主溝２１を有する構成（図３参照）では、この周方向主溝２１が該当し、タイヤ赤道面ＣＬ上に陸部を有する構成（図示省略）では、この陸部を区画する左右の周方向主溝のうちタイヤ赤道面ＣＬに近い方の周方向主溝２１が該当する。
【００４９】
なお、図３の構成では、３本の周方向主溝２１、２２がタイヤ赤道面ＣＬを中心として左右対称に配置されている。このように、複数の周方向主溝２１、２２がタイヤ赤道面ＣＬを境界として左右対称に配置される構成では、タイヤ赤道面ＣＬを境界とする左右の領域の摩耗形態が均一化されて、タイヤの摩耗寿命が向上する点で好ましい。
【００５０】
しかし、これに限らず、周方向主溝２１、２２がタイヤ赤道面ＣＬを中心として左右非対称に配置されても良い（図示省略）。また、周方向主溝２１が、タイヤ赤道面ＣＬから外れた位置に配置されても良い（図示省略）。
【００５１】
また、図３の構成では、３本の周方向主溝２１、２２により、４列の陸部３１、３２が区画されている。また、周方向主溝２１が、タイヤ赤道面ＣＬ上に配置されている。
【００５２】
しかし、これに限らず、４本以上の周方向主溝が配置されても良い（図示省略）。このため、陸部３１が、タイヤ赤道面ＣＬ上に配置されても良い。
【００５３】
［センター陸部の周方向細溝およびラグ溝］
図４〜図６は、図１に記載した更生タイヤの要部を示す拡大図である。これらの図において、図４は、最外周方向主溝２２に隣接するタイヤ幅方向内側の陸部３１の拡大平面図を示している。また、図５は、タイヤ赤道面ＣＬとする片側領域のタイヤ子午線方向の断面図を示している。また、図６は、周方向主溝２１、２２の拡大断面図を示している。
【００５４】
図３および図４に示すように、この更生タイヤ１０では、最外周方向主溝２２に隣接するタイヤ幅方向内側の陸部３１が、１本の周方向細溝３１１と、複数のラグ溝３１２とを備える。例えば、図３の構成では、更生タイヤ１０が点対称なトレッドパターンを備えるため、左右の最外周方向主溝２２、２２が、１本の周方向細溝３１１および複数のラグ溝３１２をそれぞれ備えている。これにより、陸部３１の溝面積が増加して、排水性が高められている。
【００５５】
周方向細溝３１１は、タイヤ全周に渡って連続的に延在する細溝である。この周方向細溝３１１は、ストレート形状を有しても良いし、ジグザグ形状あるいは波状形状を有しても良い。例えば、図４の構成では、周方向細溝３１１が、相互に異なる傾斜角をもつ長尺部と短尺部とをタイヤ周方向に交互に接続して成るジグザグ形状を有している。また、周方向細溝３１１が、短尺部にて溝幅を拡幅した幅広構造を有している。
【００５６】
また、周方向細溝３１１は、陸部３１の略中央領域に配置されて、陸部３１をタイヤ幅方向に分断する。具体的には、陸部３１の幅Ｗｒと、陸部３１のエッジ部から周方向細溝３１１までのタイヤ幅方向の距離Ｄａとが、０．４０≦Ｄａ／Ｗｒ≦０．６０の関係を有する。
【００５７】
陸部３１の幅Ｗｒは、タイヤを規定リムに装着して規定内圧を充填した無負荷状態にて、陸部の踏面における左右のエッジ部のタイヤ幅方向の距離として測定される。また、陸部が切欠部や面取部をエッジ部に有する構成では、陸部の踏面と溝壁の延長線との交点を基準として、陸部幅が測定される。
【００５８】
周方向細溝３１１の距離Ｄａは、タイヤを規定リムに装着して規定内圧を充填した無負荷状態にて、陸部３１の幅Ｗｒの測定点から周方向細溝３１１の溝中心線までの距離として測定される。
【００５９】
また、図４において、周方向細溝３１１の溝幅Ｗ３が、１．５［ｍｍ］≦Ｗ３≦４．３［ｍｍ］の範囲にあることが好ましい。これにより、周方向細溝３１１の溝面積が確保され、また、陸部３１の剛性が確保される。
【００６０】
また、図６において、周方向細溝３１１の溝深さＤ３と、最外周方向主溝２２の溝深さＤ２とが、０．１０≦Ｄ３／Ｄ２≦０．４０の関係を有することが好ましく、０．２０≦Ｄ３／Ｄ２≦０．３０の関係を有することがより好ましい。すなわち、周方向細溝３１１が、浅溝であることが好ましい。これにより、陸部３１の剛性が確保されて、タイヤの操縦安定性能が確保される。
【００６１】
なお、図３の構成では、上記のように、更生タイヤ１０が、３本の周方向主溝２１、２２と、４列の陸部３１、３２とを備えている。このため、最外周方向主溝２２に隣接するタイヤ幅方向内側の陸部３１が、タイヤ赤道面ＣＬにも隣接し、この陸部３１に上記の周方向細溝３１１およびラグ溝３１２が配置されている。
【００６２】
一方で、５列以上の陸部を備える構成（図示省略）では、少なくとも最外周方向主溝２２に隣接するタイヤ幅方向内側の陸部（いわゆるセカンド陸部）が、周方向細溝３１１およびラグ溝３１２を有すれば良い。
【００６３】
複数のラグ溝３１２は、タイヤ幅方向に延在して最外周方向主溝２２に連通する横溝である。すなわち、ラグ溝３１２は、図３および図４に示すように、陸部３１の周方向細溝３１１と最外周方向主溝２２との間の領域に配置されて、一方の端部にて最外周方向主溝２２に開口する。
【００６４】
例えば、図３の構成では、左右の最外周方向主溝２２、２２に隣接するタイヤ幅方向内側の陸部３１、３１が、複数のラグ溝３１２をそれぞれ備えている。また、複数のラグ溝３１２が、タイヤ周方向に所定間隔Ｌ１で配列されている。また、ラグ溝３１２が、タイヤ幅方向に所定角度で傾斜しつつ延在して、周方向細溝３１１と最外周方向主溝２２とを接続している。また、ラグ溝３１２が、周方向細溝３１１との接続部および最外周方向主溝２２との接続部の双方にて、溝幅を拡幅している。また、周方向主溝２１、２２に面する陸部３１の左右のエッジ部には、短尺かつ複数のサイプ（いわゆるマルチサイプ。符号省略。）が、タイヤ周方向に所定間隔で配置されている。
【００６５】
また、図４において、ラグ溝３１２の溝幅Ｗ４が、１．０［ｍｍ］≦Ｗ４≦４．０［ｍｍ］の範囲にあることが好ましい。これにより、ラグ溝３１２の溝面積が確保され、また、陸部３１の剛性が確保される。
【００６６】
また、図６において、ラグ溝３１２の溝深さＤ４と、最外周方向主溝２２の溝深さＤ２とが、０．１０≦Ｄ４／Ｄ２≦０．４０の関係を有することが好ましく、０．２０≦Ｄ４／Ｄ２≦０．３０の関係を有することがより好ましい。すなわち、ラグ溝３１２が、浅溝であることが好ましい。これにより、陸部３１の剛性が確保されて、タイヤの操縦安定性能が確保される。
【００６７】
また、図６の構成では、ラグ溝３１２の溝深さＤ４が、周方向細溝３１１側から最外周方向主溝２２側に向かって増加して、最外周方向主溝２２に対する開口部にて最大となっている。これにより、ラグ溝３１２の排水性が高められている。
【００６８】
なお、図３および図４の構成では、ラグ溝３１２が、タイヤ幅方向内側の端部にて周方向細溝３１１に連通している。このため、陸部３１における周方向細溝３１１と最外周方向主溝２２とに区画された部分が複数のラグ溝３１によりタイヤ周方向に分断されて、複数のブロック３１３から成るブロック列となっている。かかる構成は、陸部３１の排水性が向上して、タイヤのウェット性能が向上する点で好ましい。
【００６９】
しかし、これに限らず、周方向細溝３１１に交差することなく、周方向細溝３１１と最外周方向主溝２２との間の領域で終端しても良い（図示省略）。この場合には、陸部３１における周方向細溝３１１と最外周方向主溝２２とに区画された部分が、タイヤ周方向に連続するリブとなる。かかる構成は、周方向細溝３１１と最外周方向主溝２２との間の領域における陸部３１の剛性が増加して、陸部３１の最外周方向主溝２２側のエッジ部における偏摩耗が抑制される点で好ましい。
【００７０】
また、図３および図４の構成では、ラグ溝３１２が、周方向細溝３１１をタイヤ幅方向に貫通することなく、周方向細溝３１１との接続部で終端している。このため、陸部３１における周方向細溝３１１のタイヤ幅方向内側の領域が、タイヤ周方向に連続するリブとなっている。かかる構成では、タイヤ赤道面ＣＬ側にかかる陸部３１の剛性が確保されて、タイヤの操縦安定性能が向上する点で好ましい。
【００７１】
しかし、これに限らず、ラグ溝３１２が、周方向細溝３１１をタイヤ幅方向に貫通して、周方向細溝３１１のタイヤ幅方向内側の領域まで延在しても良い（図示省略）。このとき、ラグ溝３１２が、周方向主溝２１に開口することなく、陸部３１の内部で終端することにより、タイヤ赤道面ＣＬ側にかかる陸部３１の剛性が適正に確保される。
【００７２】
また、図３および図４の構成では、周方向細溝３１１がジグザグ形状を有し、ラグ溝３１２が周方向細溝３１１のジグザグ形状の屈曲部に接続している。また、ラグ溝３１２が周方向細溝３１１との接続部にて溝幅を拡幅することにより、周方向細溝３１１の溝幅がジグザグ形状の屈曲部にて拡幅している。かかる構成では、陸部３１の排水性が向上して、タイヤのウェット性能が向上する点で好ましい。
【００７３】
［ショルダー陸部の切欠部］
また、図３の構成では、ショルダー陸部３２が、最外周方向主溝２２側のエッジ部に、複数の切欠部３２１を備えている。これにより、最外周方向主溝２２の溝面積が増加して、排水性が向上する。
【００７４】
例えば、図３の構成では、トレッド平面視にて、切欠部３２１が台形状を有し、トレッドパターンの１つのピッチに１つの割合で配置されている。また、１本の最外周方向主溝２２にて、複数組の切欠部３２１とセンター陸部３１のラグ溝３１２とがタイヤ周方向にオフセットしつつ交互に配置されている。これにより、切欠部３２１とラグ溝３１２の開口部とが、タイヤ周方向に分散して配置されて、最外周方向主溝２２の溝面積がタイヤ周方向に均一化されている。
【００７５】
また、図４において、切欠部３２１のタイヤ周方向の長さＬ２と、ラグ溝３１２のタイヤ周方向の配置間隔Ｌ１とが、０．３５≦Ｌ２／Ｌ１≦０．４５の関係を有することが好ましい。これにより、切欠部３２１の長さＬ２が適正化される。
【００７６】
切欠部３２１の長さＬ２は、トレッド踏面における最外周方向主溝２２に対する切欠部３２１のタイヤ周方向の開口長さとして測定される。
【００７７】
ラグ溝３１２の配置間隔Ｌ１は、トレッドパターンのピッチ長に等しい。
【００７８】
また、図４において、切欠部３２１の幅Ｗ５と、最外周方向主溝２２の溝幅Ｗ２とが、０．２５≦Ｗ５／Ｗ２≦０．３５の関係を有することが好ましい。これにより、切欠部３２１の幅Ｗ５が適正化される。
【００７９】
切欠部３２１の幅Ｗ５は、トレッド踏面における切欠部３２１のタイヤ幅方向の開口幅として測定される。
【００８０】
また、図６において、切欠部３２１の深さＤ５と、最外周方向主溝２２の溝深さＤ２とが、０．６０≦Ｄ５／Ｄ２≦１．００の関係を有することが好ましい。切欠部３２１の深さＤ５が適正化される。
【００８１】
［溝面積比］
また、図３の構成では、トレッドパターン全体の溝面積比Ａが、０．２０≦Ａ≦０．３５の範囲にあることが好ましい。これにより、溝面積比Ａが適正化されて、タイヤ接地時における接地圧が適正化される。
【００８２】
トレッドパターン全体の溝面積比Ａは、溝面積／（溝面積＋接地面積）により定義される。溝面積とは、接地面における溝の開口面積をいう。また、溝とは、トレッド部の周方向溝およびラグ溝をいい、サイプ、カーフ、切欠部などを含まない。また、接地面積とは、タイヤと路面との接触面積をいう。また、溝面積および接地面積は、タイヤが規定リムに装着されて規定内圧を付与されると共に静止状態にて平板に対して垂直に置かれて規定荷重に対応する負荷を加えられたときのタイヤと平板との接触面にて、測定される。
【００８３】
また、図３の構成では、最外周方向主溝２２に隣接するタイヤ幅方向内側の陸部３１の溝面積比Ａｃおよびタイヤ幅方向外側の陸部３２の溝面積比Ａｓが、１．５≦Ａｃ／Ａｓの範囲にあることが好ましい。また、比Ａｃ／Ａｓが、２．５≦Ａｃ／Ａｓ≦４．５の範囲にあることがより好ましい。これにより、比Ａｃ／Ａｓが適正化されて、ショルダー陸部３２の剛性が確保される。
【００８４】
陸部３１、３２の溝面積比Ａｃ、Ａｓとは、上記したトレッドパターン全体の溝面積比Ａと同様に定義される。ただし、陸部の溝面積は、陸部自身に形成された溝（例えば、ラグ溝、細溝など）の面積の総和として測定され、陸部を区画する周方向主溝の面積や陸部に形成されたサイプ、カーフ、切欠部などの面積は、陸部の溝面積から除外される。
【００８５】
［カーカス層およびベルト層］
また、更生タイヤ１０は、上記のように、カーカス層１３と、カーカス層１３のタイヤ径方向外側に配置されるベルト層１４とを備える（図１参照）。
【００８６】
例えば、図１に示す小型トラック用の更生タイヤ１０では、カーカス層１３およびベルト層１４が、台タイヤ３０に含まれている。また、カーカス層１３が、左右一対のビードコア１１、１１間にトロイダル状に架け渡されてタイヤの骨格を構成している。また、カーカス層１３の両端部が、ビードコア１１およびビードフィラー１２を包み込むようにタイヤ幅方向外側に巻き返されて係止されている。また、カーカス層１３が、スチールあるいは有機繊維材（例えば、アラミド、ナイロン、ポリエステル、レーヨンなど）から成る複数のカーカスコードをコートゴムで被覆して圧延加工して構成され、絶対値で８０［deg］以上９５［deg］以下のカーカス角度（タイヤ周方向に対するカーカスコードの繊維方向の傾斜角）を有している。
【００８７】
また、ベルト層１４が、一対の交差ベルト１４１、１４２と、ベルトカバー１４３とを積層して成り、カーカス層１３の外周に掛け廻されて配置されている。
【００８８】
また、一対の交差ベルト１４１、１４２が、スチールあるいは有機繊維材から成る複数のベルトコードをコートゴムで被覆して圧延加工して構成され、絶対値で１０［deg］以上５５［deg］以下のベルト角度を有している。また、一対の交差ベルト１４１、１４２が、相互に異符号のベルト角度（タイヤ周方向に対するベルトコードの繊維方向の傾斜角）を有し、ベルトコードの繊維方向を相互に交差させて積層されている（クロスプライ構造）。なお、３枚以上の交差ベルトが積層されて配置されても良い（図示省略）。
【００８９】
また、ベルトカバー１４３が、コートゴムで被覆されたスチールあるいは有機繊維材から成る複数のコードを圧延加工して構成されている。また、ベルトカバー１４３が、絶対値で０［deg］以上１０［deg］以下のベルト角度を有することが好ましく、０［deg］以上５［deg］以下のベルト角度を有することがより好ましい。また、ベルトカバー１４３が、交差ベルト１４１、１４２のタイヤ径方向外側に積層されて配置されている。
【００９０】
また、図１の構成において、幅広な交差ベルト１４１のベルト幅Ｗｂ１と、カーカス層１３のカーカス断面幅Ｗａとが、０．６５≦Ｗｂ１／Ｗａ≦０．９０の関係を有することが好ましく、０．６８≦Ｗｂ１／Ｗａ≦０．８０の関係を有することがより好ましい。これにより、比Ｗｂ１／Ｗａが適正化されて、タイヤの乗心地性が向上する。
【００９１】
カーカス断面幅Ｗａは、カーカス層１３の左右の最大幅位置のタイヤ幅方向の距離であり、タイヤを規定リムに装着して規定内圧を付与すると共に無負荷状態として測定される。
【００９２】
また、幅広な交差ベルト１４１のベルト幅Ｗｂ１と、トレッド幅ＴＷとが、０．７０≦Ｗｂ１／ＴＷ≦１．００の範囲を有することが好ましい。
【００９３】
また、幅狭な交差ベルト１４２のベルト幅Ｗｂ２と、トレッド幅ＴＷとが、０．７０≦Ｗｂ２／ＴＷ≦０．９５の範囲を有することが好ましく、０．８０≦Ｗｂ２／ＴＷ≦０．９０の範囲を有することがより好ましい。
【００９４】
ベルト幅Ｗｂ１、Ｗｂ２は、タイヤ子午線方向の断面視におけるタイヤ幅方向の最も外側にあるベルトコードのタイヤ幅方向の距離であり、タイヤを規定リムに装着して規定内圧を付与すると共に無負荷状態として測定される。
【００９５】
［ベルトカバー］
また、この更生タイヤ１０では、図１において、ベルトカバー１４３のタイヤ幅方向外側にある左右の端部間の距離Ｗｃと、トレッド幅ＴＷとが、０．７５≦Ｗｃ／ＴＷ≦１．００の関係を有することが好ましく、０．８０≦Ｗｃ／ＴＷ≦０．９０の関係を有することがより好ましい。これにより、タイヤの接地形状が適正化されて、タイヤのウェット性能が確保される。
【００９６】
距離Ｗｃは、タイヤ子午線方向の断面視におけるタイヤ幅方向の最も外側にあるベルトコードのタイヤ幅方向の距離であり、タイヤを規定リムに装着して規定内圧を付与すると共に無負荷状態として測定される。また、ベルトカバー１４３がタイヤ幅方向に分割された構造を有する構成（図示省略）では、最もタイヤ幅方向外側にあるベルトカバーの左右の端部を基準として、距離Ｗｃが測定される。
【００９７】
また、ベルトカバー１４３のエンド数が、４０［本／５０ｍｍ］以上６０［本／５０ｍｍ］以下の範囲にあることが好ましい。また、ベルトカバー１４３を構成する糸の太さが、１１００［dtex／２］以上１５００［dtex／２］以下の範囲にあることが好ましい。これらにより、ベルトカバー１４３の構造が適正化される。
【００９８】
例えば、図１の構成では、単層のベルトカバー１４３が、いわゆるフルカバー構造を有し、タイヤ幅方向に連続的に延在してベルト層１４の全域を覆って配置されている。また、ベルトカバー１４３が、幅広な交差ベルト１４１の端部まで延在することにより、一対の交差ベルト１４１、１４２の端部を同時に覆っている。また、図５に示すように、付加的なベルトカバー１４４が、上記のベルトカバー１４３のタイヤ径方向外側に積層されている。この付加的なベルトカバー１４４は、一対の交差ベルト１４１、１４２の左右の端部を覆う位置に部分的に配置されて、いわゆるエッジカバーとして機能する。このため、交差ベルト１４１、１４２の左右の端部には、複数層のベルトカバー１４３、１４４がそれぞれ配置されて、ベルトカバーの積層枚数がタイヤ赤道面ＣＬに交差する位置よりも多くなっている。これにより、交差ベルト１４１、１４２の端部に対する拘束力が高められている。
【００９９】
しかし、これに限らず、フルカバー構造を有する複数のベルトカバー１４３が、積層されてベルト層１４の全域を覆って配置されても良い（図示省略）。したがって、ベルトカバー１４３が、多層構造を有しても良い。また、ベルトカバー１４３のタイヤ径方向外側に、さらにベルトプライが配置されても良い（図示省略）。したがって、ベルトカバー１４３が、ベルト層１４の最外層に配置されていなくとも良い。
【０１００】
［トレッドゴムのゲージ］
また、図５において、タイヤ赤道面ＣＬにおけるトレッドゲージＤｃｃと、幅狭な交差ベルト１４２のタイヤ幅方向外側の端部におけるトレッドゲージＤｅとが、１．０３≦Ｄｃｃ／Ｄｅ≦１．２０の関係を有することが好ましく、１．０５≦Ｄｃｃ／Ｄｅ≦１．１０の関係を有することがより好ましい。これにより、比Ｄｃｃ／Ｄｅが適正化される。
【０１０１】
トレッドゲージＤｃｃは、タイヤ子午線方向の断面視にて、タイヤ赤道面ＣＬとトレッドプロファイルとの交点と、ベルト層１４の最もタイヤ径方向外側にあるベルトプライ（図５では、ベルトカバー１４３）のベルトコード面との距離として測定される。ベルトコード面は、ベルトプライを構成する複数のベルトコードのタイヤ径方向外側の端部を含む面として定義される。
【０１０２】
トレッドゲージＤｅは、タイヤ子午線方向の断面視にて、幅狭な交差ベルト１４２の端部からトレッド面に引いた垂線上におけるトレッドゴムの厚さとして測定される。交差ベルト１４２の端部とは、交差ベルト１４２を構成するベルトコードのうちタイヤ幅方向の最も外側にあるベルトコードの端面をいう。
【０１０３】
また、図５において、タイヤ赤道面ＣＬにおけるトレッドゲージＤｃｃと、ベルトカバー１４３のタイヤ幅方向外側の端部からトレッド端ＴまでのトレッドゲージＤｓｈとが、１．００≦Ｄｓｈ／Ｄｃｃ≦１．７０の関係を有することが好ましく、１．２０≦Ｄｓｈ／Ｄｃｃ≦１．４０の関係を有することがより好ましい。これにより、Ｄｓｈ／Ｄｃｃが適正化される。
【０１０４】
トレッドゲージＤｓｈは、タイヤ子午線方向の断面視にて、ベルトカバー１４３を構成するベルトコードのうち、タイヤ幅方向の最も外側にあるベルトコードの端面を基準として測定される。
【０１０５】
また、図６において、タイヤ赤道面ＣＬに最も近い周方向主溝２１の新ゴム溝下ゲージＧａ１が、１．０［ｍｍ］≦Ｇａ１≦５．０［ｍｍ］の範囲にあることが好ましく、２．０［ｍｍ］≦Ｇａ１≦３．０［ｍｍ］の範囲にあることがより好ましい。これにより、トレッド部センター領域の周方向主溝２１の新ゴム溝下ゲージＧａ１が適正化される。
【０１０６】
また、図６において、最外周方向主溝２２の新ゴム溝下ゲージＧａ２が、タイヤ赤道面ＣＬに最も近い周方向主溝２１の新ゴム溝下ゲージＧａ１に対して、Ｇａ２＜Ｇａ１の関係を有することが好ましい。したがって、トレッド部ショルダー領域の周方向主溝２２の新ゴム溝下ゲージＧａ２が、トレッド部センター領域の周方向主溝２１の新ゴム溝下ゲージＧａ１よりも小さい。
【０１０７】
また、新ゴム溝下ゲージＧａ２が、１．０［ｍｍ］≦Ｇａ２≦４．０［ｍｍ］の範囲にあることが好ましく、１．３［ｍｍ］≦Ｇａ２≦３．０［ｍｍ］の範囲にあることがより好ましい。これにより、トレッド部ショルダー領域の周方向主溝２２の新ゴム溝下ゲージＧａ２が適正化される。
【０１０８】
新ゴム溝下ゲージＧａ１、Ｇａ２は、更生により新たに追加されたトレッド２０における溝下ゲージであり、タイヤ子午線方向の断面視にて、周方向主溝２１、２２の最大溝深さ位置からトレッド２０のタイヤ径方向内側の周面までの距離として測定される。
【０１０９】
また、図６において、タイヤ赤道面ＣＬに最も近い周方向主溝２１の溝深さＤ１と、タイヤ赤道面ＣＬにおけるトレッドゲージＤｃｃとが、１．３０≦Ｄｃｃ／Ｄ１≦１．５５の関係を有することが好ましく、１．４０≦Ｄｃｃ／Ｄ１≦１．５０の関係を有することがより好ましい。これにより、比Ｄｃｃ／Ｄ１が適正化される。
【０１１０】
［変形例］
図７は、図１に記載した更生タイヤの変形例を示す説明図である。同図は、ショルダー部のプロファイルを示している。
【０１１１】
図１の構成では、図５に示すように、更生タイヤ１０が、タイヤ子午線方向の断面視にて、スクエア形状を有するショルダー部を備えている。かかる構成では、トレッド幅ＴＷの測定点が、ショルダー陸部３２のタイヤ幅方向外側のエッジ部となる。
【０１１２】
しかし、これに限らず、更生タイヤ１０が、タイヤ子午線方向の断面視にて、ラウンド形状（図７参照）あるいは面取り形状（図示省略）を有するショルダー部を備えても良い。
【０１１３】
かかる構成では、トレッド幅ＴＷの測定点が、タイヤ子午線方向の断面視におけるショルダー陸部３２の接地面の延長線と、バットレス部（ショルダー部の非接地領域）のプロファイルの延長線との交点Ｔ’により定義される。
【０１１４】
また、トレッドゲージＤｓｈが、タイヤ子午線方向の断面視にて、上記の交点Ｔ’からベルトカバー１４３を構成するベルトコードのうちタイヤ幅方向の最も外側にあるベルトコードの端面に引いた直線上におけるトレッドゴムの厚さとして測定される。
【０１１５】
［効果］
以上説明したように、この更生タイヤ１０は、トレッド２０と、台タイヤ３０とを備える（図１参照）。また、トレッド２０が、タイヤ周方向に延在する少なくとも３本の周方向主溝２１、２２と、これらの周方向主溝２１、２２に区画されて成る複数の陸部３１、３２とをトレッド面に備える（図３参照）。また、台タイヤ３０が、カーカス層１３と、カーカス層１３のタイヤ径方向外側に配置されるベルト層１４とを備える。また、ベルト層１４が、一対の交差ベルト１４１、１４２と、一対の交差ベルト１４１、１４２のタイヤ径方向外側に配置されるベルトカバー１４３とを有する。また、トレッド幅ＴＷと、タイヤ総幅ＳＷとが、０．６５≦ＴＷ／ＳＷ≦０．８５の関係を有する（図１参照）。また、リム径の測定点Ｐからタイヤ最大幅位置Ｑまでのタイヤ径方向の距離ＳＤＨと、タイヤ断面高さＳＨとが、０．４５≦ＳＤＨ／ＳＨ≦０．６５の関係を有する。また、最外周方向主溝２２に隣接するタイヤ幅方向内側の陸部３１が、タイヤ全周に渡って連続的に延在する１本の周方向細溝３１１を備える。
【０１１６】
かかる構成では、プロファイルを規定する比ＴＷ／ＳＷおよび比ＳＤＨ／ＳＨが適正化されるので、タイヤの接地形状が適正化されて、タイヤのウェット性能が向上する利点がある。また、最外周方向主溝２２に隣接するタイヤ幅方向内側の陸部３１が、１本の周方向細溝３１１と複数のラグ溝３１２とを備えることにより、陸部３２の溝面積が確保されて、陸部３２の排水性が向上する。これにより、タイヤのウェット性能がさらに向上する利点がある。
【０１１７】
また、この更生タイヤ１０では、最外周方向主溝２２に隣接するタイヤ幅方向内側の陸部３１が、タイヤ幅方向に延在して最外周方向主溝２２に連通すると共に周方向細溝３１１に連通する複数のラグ溝３１２を備える（図３参照）。かかる構成では、複数のラグ溝３１２が周方向細溝３１１と最外周方向主溝２２とを接続することにより、陸部３２の排水性が向上する。これにより、タイヤのウェット性能がさらに向上する利点がある。
【０１１８】
また、この更生タイヤ１０では、周方向細溝３１１の溝深さＤ３と、最外周方向主溝２２の溝深さＤ２とが、０．１０≦Ｄ３／Ｄ２≦０．４０の関係を有する（図６参照）。これにより、周方向細溝３１１の溝深さＤ３が適正化される利点がある。すなわち、０．１０≦Ｄ３／Ｄ２であることにより、周方向細溝３１１の溝深さＤ３が確保されて、陸部３１の排水性が確保される。また、Ｄ３／Ｄ２≦０．４０であることにより、陸部３１の剛性が確保されて、陸部３１の偏摩耗が抑制される。
【０１１９】
また、この更生タイヤ１０では、ラグ溝３１２の溝深さＤ４と、最外周方向主溝２２の溝深さＤ２とが、０．１０≦Ｄ４／Ｄ２≦０．４０の関係を有する（図５参照）。これにより、ラグ溝３１２の溝深さＤ４が適正化される利点がある。すなわち、０．１０≦Ｄ４／Ｄ２であることにより、ラグ溝３１２の溝深さＤ４が確保されて、陸部３１の排水性が確保される。また、Ｄ４／Ｄ２≦０．４０であることにより、陸部３１の剛性が確保されて、陸部３１の偏摩耗が抑制される。
【０１２０】
また、この更生タイヤ１０では、タイヤ赤道面ＣＬに最も近い周方向主溝２１の溝幅Ｗ１と、トレッド幅ＴＷとが、０．０５≦Ｗ１／ＴＷ≦０．０９の関係を有する（図３参照）。これにより、周方向主溝２１の溝幅Ｗ１が確保されて、排水性が確保される利点がある。
【０１２１】
また、この更生タイヤ１０では、最外周方向主溝２２の溝幅Ｗ２と、トレッド幅ＴＷとが、０．０６≦Ｗ２／ＴＷ≦０．１０の関係を有する（図３参照）。これにより、最外周方向主溝２２の溝幅Ｗ２が確保されて、排水性が確保される利点がある。
【０１２２】
また、この更生タイヤ１０では、周方向細溝３１１が、タイヤ周方向にジグザグ状あるいは波状に延在する（図３参照）。これにより、陸部３１のエッジ成分が確保される利点がある。
【０１２３】
また、この更生タイヤ１０では、タイヤ赤道面ＣＬに最も近い周方向主溝２１が、周方向細溝３１１に対して略平行なジグザグ状あるいは波状を有してタイヤ周方向に延在する（図３参照）。かかる構成では、周方向主溝２１と周方向細溝３１１とに区画された陸部３１の部分のタイヤ周方向の剛性が均一化される。これにより、陸部３１の偏摩耗が抑制される利点がある。
【０１２４】
また、この更生タイヤ１０では、タイヤ幅方向の最も外側にある陸部３２が、最外周方向主溝２２側のエッジ部に複数の切欠部３２１を有する（図３参照）。これにより、最外周方向主溝２２の溝面積（溝容積）が増加して、タイヤのウェット性能が向上する利点がある。
【０１２５】
また、この更生タイヤ１０では、切欠部３２１のタイヤ周方向の長さＬ２と、ラグ溝３１２のタイヤ周方向の配置間隔Ｌ１とが、０．２≦Ｌ２／Ｌ１≦０．６の関係を有する（図４参照）。これにより、切欠部３２１の長さＬ２が適正化される利点がある。すなわち、０．２≦Ｌ２／Ｌ１であることにより、切欠部３２１の長さＬ２が確保されて、最外周方向主溝２２の溝面積（溝容積）の増加分が確保される。また、Ｌ２／Ｌ１≦０．６であることにより、切欠部３２１が過大となることによる陸部３２の剛性低下が抑制されて、陸部３２の偏摩耗が抑制される。
【０１２６】
また、この更生タイヤ１０では、切欠部３２１の幅Ｗ５と、最外周方向主溝２２の溝幅Ｗ２とが、０．２≦Ｗ５／Ｗ２≦０．４の関係を有する（図４参照）。これにより、切欠部３２１の幅Ｗ５が適正化される利点がある。すなわち、０．２≦Ｗ５／Ｗ２であることにより、切欠部３２１の幅Ｗ５が確保されて、最外周方向主溝２２の溝面積（溝容積）の増加分が確保される。また、Ｗ５／Ｗ２≦０．４であることにより、切欠部３２１が過大となることによる陸部３２の剛性低下が抑制されて、陸部３２の偏摩耗が抑制される。
【０１２７】
また、この更生タイヤ１０では、切欠部３２１の深さＤ５と、最外周方向主溝２２の溝深さＤ２とが、０．６０≦Ｄ５／Ｄ２≦１．００の関係を有する（図６参照）。これにより、切欠部３２１の深さＤ５が確保されて、最外周方向主溝２２の溝面積（溝容積）の増加分が確保される。また、Ｄ５／Ｄ２≦１．００であることにより、切欠部３２１が過大となることによる陸部３２の剛性低下が抑制されて、陸部３２の偏摩耗が抑制される。
【０１２８】
また、この更生タイヤ１０では、トレッドパターン全体の溝面積比Ａが、０．２０≦Ａ≦０．３５の範囲にある（図３参照）。これにより、トレッドパターン全体の溝面積比Ａが適正化される利点がある。すなわち、０．２０≦Ａであることにより、溝面積Ａが確保されて、タイヤのウェット性能が確保される。また、Ａ≦０．３５であることにより、接地面全体の接地圧が適正化されて、タイヤの耐偏摩耗性能が確保される。
【０１２９】
また、この更生タイヤ１０では、最外周方向主溝２２に隣接するタイヤ幅方向内側の陸部３１の溝面積比Ａｃおよびタイヤ幅方向外側の陸部３２の溝面積比Ａｓが、１．５≦Ａｃ／Ａｓの範囲にある。これにより、ショルダー陸部３２の剛性が確保されて、タイヤのタイヤ偏摩耗性能が確保される利点がある。
【０１３０】
また、この更生タイヤ１０は、タイヤ周方向に延在する複数の周方向主溝２１、２２と、周方向主溝２１、２２に区画されて成る複数の陸部３１、３２とをトレッド面に備える。また、タイヤ赤道面ＣＬに最も近い周方向主溝２１の新ゴム溝下ゲージＧａ１が、１．０［ｍｍ］≦Ｇａ１≦５．０［ｍｍ］の範囲にある（図６参照）。かかる構成では、トレッド部センター領域にある周方向主溝２１の新ゴム溝下ゲージＧａ１が適正化される利点がある。すなわち、１．０［ｍｍ］≦Ｇａ１であることにより、周方向主溝２１の新ゴム溝下ゲージＧａ１が確保される。すると、トレッド２０の新ゴムが台タイヤ３０の旧ゴム（残留トレッド３０１）よりも柔らかい（残留トレッド３０１は劣化して硬くなっている）ので、新ゴムと旧ゴムとの界面に作用する力が分散されて、タイヤの耐久性が確保される。また、Ｇａ１≦５．０［ｍｍ］であることにより、周方向主溝２１の新ゴム溝下ゲージＧａ１が過大となることが防止される。すると、トレッドゴムのボリューム過多による発熱が抑制されて、タイヤの耐久性が向上する。
【０１３１】
また、この更生タイヤ１０では、タイヤ幅方向の最も外側にある周方向主溝２２の新ゴム溝下ゲージＧａ２が、Ｇａ２＜Ｇａ１かつ１．０［ｍｍ］≦Ｇａ２≦４．０［ｍｍ］の範囲にある（図６参照）。かかる構成では、トレッド部ショルダー領域にある周方向主溝２２の新ゴム溝下ゲージＧａ２が適正化される利点がある。すなわち、Ｇａ２＜Ｇａ１であることにより、ベルト層１４の端部における周辺ゴムの歪みが低減されて、ベルト耐久性が確保される利点がある。また、１．０［ｍｍ］≦Ｇａ２であることにより、周方向主溝２２の新ゴム溝下ゲージＧａ２が確保される。すると、トレッド２０の新ゴムが台タイヤ３０の旧ゴム（残留トレッド３０１）よりも柔らかい（残留トレッド３０１は劣化して硬くなっている）ので、新ゴムと旧ゴムとの界面に作用する力が分散されて、タイヤの耐久性が確保される。また、Ｇａ２≦４．０［ｍｍ］であることにより、周方向主溝２２の新ゴム溝下ゲージＧａ２が過大となることが防止される。すると、トレッドゴムのボリューム過多による発熱が抑制されて、タイヤの耐久性が向上する。
【０１３２】
また、この更生タイヤ１０では、カーカス層１３が、有機繊維材から成る複数のカーカスコードを配列して構成される。更生タイヤ１０では、一般に、更生によりタイヤ寿命が延びて、走行距離が増加する。このため、カーカス層が有機繊維材から成る構成では、カーカス層の強度が低下して、タイヤの接地形状が不適切となり、タイヤのウェット性能が低下し易い傾向にある。したがって、かかる有機繊維材から成るカーカス層１３を備える構成を適用対象とすることにより、ウェット性能の向上効果を顕著に得られる利点がある。
【０１３３】
また、この更生タイヤ１０では、ベルトカバー１４３が、有機繊維材から成ると共にタイヤ周方向に対して±５［deg］以下の角度で配列された複数のコードから構成される。更生タイヤ１０では、一般に、更生によりタイヤ寿命が延びて、走行距離が増加する。このため、ベルトカバーが有機繊維材から成る構成では、ベルトカバーの強度が低下して、タイヤの接地形状が不適切となり、タイヤのウェット性能が低下し易い傾向にある。したがって、かかる有機繊維材から成るベルトカバー１４３を備える構成を適用対象とすることにより、ウェット性能の向上効果を顕著に得られる利点がある。
【０１３４】
また、この更生タイヤ１０では、単一あるいは複数のベルトカバー１４３、１４４が、少なくともタイヤ赤道面ＣＬに交差する位置と、一対の交差ベルト１４１、１４２のタイヤ幅方向外側の端部とを覆って配置される（図１および図５参照）。かかる構成では、ベルトカバー１４３が、タイヤ赤道面ＣＬに交差する位置を覆うことにより、トレッド部センター領域の径成長が抑制される。これにより、タイヤ赤道面ＣＬからショルダー部に至るプロファイルがフラットとなり、タイヤの接地形状が適正化される。また、ベルトカバー１４３が、一対の交差ベルト１４１、１４２のタイヤ幅方向外側の端部を覆うことにより、交差ベルト１４１、１４２の端部の変位量が低減されて、タイヤの接地形状が適正化される。これらにより、タイヤのウェット性能の向上する利点がある。
【０１３５】
また、この更生タイヤ１０では、タイヤ赤道面ＣＬにおけるトレッドゲージＤｃｃと、幅狭な交差ベルトのタイヤ幅方向外側の端部におけるトレッドゲージＤｅとが、１．０３≦Ｄｃｃ／Ｄｅ≦１．２０の関係を有する（図５参照）。これにより、比Ｄｃｃ／Ｄｅが適正化される利点がある。すなわち、１．０３≦Ｄｃｃ／Ｄｅであることにより、トレッド部センター領域のトレッドゲージＤｃｃがショルダー領域のトレッドゲージＤｅよりも大きく設定される。すると、ベルトプライがタイヤ接地面に対して水平に配置されるので、タイヤ接地時にてベルトプライに作用する張力が均一化されて、ベルト耐久性が向上する。また、Ｄｃｃ／Ｄｅ≦１．２０であることにより、センター領域のトレッドゲージＤｃｃが過大となることが防止されるので、タイヤ赤道面ＣＬからショルダー部に至るプロファイルがフラットとなり、タイヤの接地形状が適正化される。これらにより、タイヤのウェット性能の向上する利点がある。
【０１３６】
また、この更生タイヤ１０では、幅広な交差ベルト１４１のベルト幅Ｗｂ１と、カーカス層１３のカーカス断面幅Ｗａとが、０．６５≦Ｗｂ１／Ｗａ≦０．９０の関係を有する（図１参照）。これにより、比Ｗｂ１／Ｗａが適正化される利点がある。すなわち、０．６５≦Ｗｂ１／Ｗａであることにより、ベルト幅Ｗｂが確保されて、ベルト層１４のタイヤ幅方向外側の端部における周辺ゴムの歪みが低減される利点がある。また、Ｗｂ１／Ｗａ≦０．９０であることにより、ベルトプライの端部とサイドウォール部との距離が確保されるので、タイヤ転動時におけるベルトプライの端部の動きが抑制されて、タイヤの耐久性が向上する。
【０１３７】
また、この更生タイヤ１０では、ベルトカバー１４３のエンド数が、４０［本／５０ｍｍ］以上６０［本／５０ｍｍ］以下の範囲にある。これにより、ベルトカバー１４３のエンド数が適正化される利点がある。
【０１３８】
また、この更生タイヤ１０では、ベルトカバー１４３を構成する糸の太さが、１１００［dtex／２］以上１５００［dtex／２］以下の範囲にある。これにより、ベルトカバー１４３の糸の太さが適正化される利点がある。
【０１３９】
［適用対象］
また、この更生タイヤ１０は、７０［％］以下の偏平率を有する低偏平タイヤに適用され、特に、ＪＡＴＭＡに規定される小型トラック用タイヤに適用される。かかる低偏平な小型トラック用タイヤでは、荷物の積載時と無積載時とで、トレッド部の接地状態が変化し易い。すなわち、荷物の積載時には、トレッド部のセンター領域およびショルダー領域が一様に接地するが、無積載時には、トレッド部センター領域の径成長が顕在化して、トレッド部ショルダー領域の接地面積が減少する傾向にある。すると、タイヤの接地形状が不適切となり、タイヤのウェット性能が低下し易い傾向にある。したがって、かかる低偏平な小型トラック用タイヤを適用対象とすることにより、ウェット性能の向上効果を顕著に得られる利点がある。
【実施例】
【０１４０】
図８および図９は、この発明の実施の形態にかかる更生タイヤの性能試験の結果を示す図表である。
【０１４１】
この性能試験では、複数種類の試験タイヤについて、ウェット性能に関する評価が行われた。また、タイヤサイズ２０５／７０Ｒ１６  １１１／１０９  ＬＴの試験タイヤがＪＡＴＭＡ規定の適用リムに組み付けられ、この試験タイヤにＪＡＴＭＡ規定の最高空気圧および最大負荷が付与される。
【０１４２】
また、試験タイヤを装着した試験車両がウェット路面（撒水したアスファルト路面）を走行し、初速度６０［ｋｍ／ｈ］からの制動距離が測定される。そして、この測定結果に基づいて従来例を基準（１００）とした指数評価が行われる。評価結果は、その数値が大きいほど好ましい。
【０１４３】
実施例１〜１６の試験タイヤは、図１および図３に記載した構造を有する。ただし、実施例１〜４では、陸部３１がラグ溝を備えていない。また、タイヤ総幅ＳＷがＳＷ＝２０４［ｍｍ］であり、タイヤ断面高さＳＨがＳＨ＝１４３．７［ｍｍ］である。また、最外周方向主溝２２の溝幅Ｗ２（図３）が１３.０［ｍｍ］であり、溝深さＤ２（図６）が１０．０［ｍｍ］である。また、ラグ溝３１２の配置間隔（ピッチ）Ｌ１が、３０．０［ｍｍ］≦Ｌ１≦５０．０［ｍｍ］の範囲にある。また、タイヤ赤道面ＣＬにおけるトレッドゲージＤｃｃがＤｃｃ＝１３．７［ｍｍ］である。また、幅広な交差ベルト１４１のベルト幅ＷｂがＷｂ＝１５０［ｍｍ］である。
【０１４４】
従来例の試験タイヤは、図１および図３の構成において、周方向細溝３１１およびラグ溝３１２を備えていない。
【０１４５】
試験結果が示すように、実施例１〜１６の試験タイヤでは、タイヤのウェット性能が向上することが分かる。
【符号の説明】
【０１４６】
１０：更生タイヤ、１１：ビードコア、１２：ビードフィラー、１３：カーカス層、１４：ベルト層、１４１、１４２：交差ベルト、１４３、１４４：ベルトカバー、１５：トレッドゴム、１６：サイドウォールゴム、１７：リムクッションゴム、２０：トレッド、３０：台タイヤ、３０１：残留トレッド、２１、２２：周方向主溝、３１、３２：陸部、３１１：周方向細溝、３１２：ラグ溝、３２１：切欠部
【図１】
0006032242.tif 000002
【図２】
0006032242.tif 000003
【図３】
0006032242.tif 000004
【図４】
0006032242.tif 000005
【図５】
0006032242.tif 000006
【図６】
0006032242.tif 000007
【図７】
0006032242.tif 000008
【図８】
0006032242.tif 000009
【図９】
0006032242.tif 000010